(57)【特許請求の範囲】
【請求項１】
櫛の歯の端部側に固定された第一円盤と、前記歯の根元側に固定された第二円盤と、前記第一円盤及び前記第二円盤の間に位置し前記歯を中心に回転可能なリングとなり、
前記リングの外周部で前記第一円盤及び前記第二円盤の間に染色剤を貯留する液溜空間を有するとともに、前記歯の端部の頭皮への当接を阻害しないことを特徴とする髪染め補助具。
【請求項２】
前記リングの径が前記第一円盤の径より小さいことを特徴とする請求項１に記載の髪染め補助具。
【請求項３】
前記第一円盤と前記第二円盤との間に、さらに円盤を１又は２以上備え、前記液溜空間を仕切り、円盤同士の間に、前記歯を中心に回転可能なリングを備えることを特徴とする請求項１に記載の髪染め補助具。
【請求項４】
前記リングの外周が凹凸であることを特徴とする請求項１に記載の髪染め補助具。
【請求項５】
請求項１〜請求項４の何れか１項に記載の髪染め補助具が、ユニット化され、一体で、前記歯に嵌められることを特徴とする髪染め補助具。
【請求項６】
請求項１〜請求項５の何れか１項に記載の髪染め補助具を前記歯に備えたことを特徴とする髪染め用櫛。
【発明の詳細な説明】
【技術分野】
【０００１】
本発明は、美容、理容用のカラー剤、白髪染剤などの髪染剤を、効率的かつ頭皮への付着を少量に抑えて髪に塗布する髪染め補助具、及びそれを用いた髪染め用櫛に関する。
【背景技術】
【０００２】
本発明の櫛には、髪を梳かす、ピンが本体から複数列起立したブラシタイプ、歯が板状の軸から一方向、或いは両方向に一列に並んで突設される板タイプ（コーム）のいずれも含まれる。以後、櫛に起立する突起は、ピン、歯いずれも歯ともいう。たたし、毛が密集したタイプのブラシタイプは本発明の対象とはしない。
【０００３】
従来の髪染めには、髪に直接髪染剤を塗布してコームで塗り拡げる方式、ブラシ、コームに二液タイムの染色剤を付着させて髪に塗布、すき込む方式が一般的である。他方、歯から染色剤が湧き出て髪に塗る装置もある。また、髪染めに特化したクシも、特許文献１−６など、いくつか開発されている。
【０００４】
しかし、いずれも、染色剤を多量に使用し、頭皮にも多量に染色剤が付着する。例えば、定期的に髪染めする者は、髪の根元だけに染色剤を塗布すれだけでもよいが、理髪店等では、染色剤を髪全体に塗り広げられ、多量に使用されることもある。
【先行技術文献】
【特許文献】
【０００５】
【特許文献１】実登３１７５９１４号公報
【特許文献２】実登３１５９６８６号公報
【特許文献３】特表２００９−５３８１７４号公報
【特許文献４】特開平１０−２７６８２９号公報
【特許文献５】実登３０２７０４２号公報
【特許文献６】実登３０２７０４１号公報
【特許文献７】特許第６５７２４０１号公報
【発明の概要】
【発明が解決しようとする課題】
【０００６】
そこで、本発明は、美容、理容用のカラー剤、白髪染剤などの髪染剤を、効率的かつ頭皮への付着を少量に抑えて髪に塗布する髪染め補助具、及びそれを用いた髪染め用櫛を提供することを目的とする。
【課題を解決するための手段】
【０００７】
本発明は、上記課題を解決するために、発明者の先の出願に係る特許文献７と異なる別の手段として以下の構成とした。
（１）
櫛の歯の端部側に固定された第一円盤と、前記歯の根元側に固定された第二円盤と、前記第一円盤及び前記第二円盤の間に位置し前記歯を中心に回転可能なリングとなり、
前記リングの外周部で前記第一円盤及び前記第二円盤の間に染色剤を貯留する液溜空間を有するとともに、前記歯の端部の頭皮への当接を阻害しないことを特徴とする髪染め補助具。
（２）
前記リングの径が前記第一円盤の径より小さいことを特徴とする（１）に記載の髪染め補助具。
（３）
前記第一円盤と前記第二円盤との間に、さらに円盤を１又は２以上備え、前記液溜空間を仕切り、円盤同士の間に、前記歯を中心に回転可能なリングを備えることを特徴とする（１）に記載の髪染め補助具。
（４）
前記リングの外周が凹凸であることを特徴とする（１）に記載の髪染め補助具。
（５）
（１）〜（４）の何れか１に記載の髪染め補助具が、ユニット化され、一体で、前記歯に嵌められることを特徴とする髪染め補助具。
（６）
（１）〜（５）の何れか１に記載の髪染め補助具を前記歯に備えたことを特徴とする髪染め用櫛。
【発明の効果】
【０００８】
本発明は以上の構成であるから、美容、理容用のカラー剤、白髪染剤などの髪染剤を、効率的かつ頭皮への付着を少量に抑えて髪に塗布する髪染め補助具、及びそれを用いた髪染め用櫛を提供する。
【図面の簡単な説明】
【０００９】
【図１】本発明である髪染め用櫛の第一実施例の説明図である。
【図２】第一実施例の髪染め補助具の部品の説明図である。
【図３】第一実施例の髪染め用櫛の使用状態を示す模式図である。図３（Ａ）は使用前の部分断面図、（Ｂ）は染色剤１２に髪染め補助具４５を浸漬している様子を示している。図３（Ｃ）は、先の染色後に伸びた部分（白髪）で、染色剤１２を塗布する部分（Ｃ１）と、染色済み部分（Ｃ２）を示している。塗布するときは、歯２ｃの端部２ｄを頭皮１０に当接することで、染色剤１２を貯留する液溜空間３ｅ（染色剤１２）に頭皮１０が接触せず、染色剤１２の頭皮１０への付着を少量化することができる。頭皮１０の負担が軽減する。
【図４】本発明である髪染め用櫛の第二実施例の説明図である。
【図５】第二実施例の髪染め補助具の部品の分解説明図である。
【図６】本発明である髪染め用櫛の第三実施例の説明図である。
【図７】第三実施例の髪染め補助具の部品の分解説明図である。
【図８】本発明である髪染め用櫛の第四実施例の説明図である。
【図９】第四実施例の髪染め補助具の部品の分解説明図である。
【図１０】本発明である髪染め用櫛の第五実施例の説明図である。
【図１１】第五実施例の髪染め補助具の部品の分解説明図である。
【図１２】本発明である髪染め用櫛の第六実施例の説明図である。
【発明を実施するための形態】
【００１０】
以下、添付の図面を参照し、本発明の実施の形態について詳細に説明する。なお、本発明は以下の実施例に限定されるものはない。
【実施例１】
【００１１】
図１に示すように、本発明である髪染め用櫛１ｄは、櫛と、櫛の歯２ｃに、嵌着、取り付つけ、固定、一体成型などして備えられた髪染め補助具４５とからなる。図１（Ａ）は髪染め用櫛１ｄの一部分の縦断面図、（Ｂ）は歯２ｃの断面図、（Ｃ）は髪染め補助具４５の縦断面図である。櫛は、一般に流通している、ブラシ、コームを採用することができる。
【００１２】
本発明の髪染め補助具４５は、櫛の歯２ｃの端部２ｄ側に固定された第一円盤４５ａと、歯２ｃの根元側に固定された第二円盤４５ｂと、第一円盤４５ａ及び第二円盤４５ｂの間に位置する第三円盤４５ｅと、第一円盤４５ａ及び第三円盤４５ｅの間に位置し歯２ｃを中心に回転可能な第一リング４５ｃと、第二円盤４５ｂ及び第三円盤４５ｅの間に位置し歯２ｃを中心に回転可能な第二リング４５ｆとからなる。
【００１３】
髪染め補助具４５は、各部材の貫通孔４５ａｈ、４５ｂｈ、４５ｃｈ、４５ｆｈ、４５ｅｈに、櫛の歯２ｃを挿通させたて備えられる。その際、髪染め補助具４５が歯２ｃから脱落しないよう、また、第一、第二リング４５ｃ、４５ｆが適切な位置で回転するよう、少なくとも第一円盤４５ａ、第二円盤４５ｂは歯２ｃに接着剤などで位置固定する。
【００１４】
これにより、図３に示すように、歯２ｃの端部２ｄの頭皮１０への当接は阻害されない。また、主に、第一リング４５ｃ及び第二リング４５ｆの外周部で第一円盤４５ａ、第二円盤４５ｂ、第三円盤４５ｅの間に染色剤１２を貯留する液溜空間４５ｄ、４５ｄを形成する。
【００１５】
なお、第一リング４５ｃ、第二リング４５ｆの径が第一円盤４５ａ、第二円盤４５ｂの径より小さくすれば、少なくとも第一円盤４５ａの径より小さくすれば、液溜空間４５ｄが広がり、染色剤１２を多量に液溜空間４５ｄに貯留することができる。
【００１６】
また、図２（Ａ）に示すように、第一リング４５ｃは、外周が、凹４５ｇ、凸４５ｉをしたギア、或いはギアの角を丸めた波形状にするとよい。そのようにすることで、一層、染色剤１２を容器から絡め取りやすく、また、髪１１と第一、第二リング４５ｃ、４５ｆの絡みが高まり、第一リング４５ｃ及び第二リング４５ｆの回転性が向上し、染色剤１２が髪１１に適宜送り出される。これにより、染色剤１２の髪１１に対する塗布量の均一性が高まる。
【００１７】
なお、第二リング４５ｆは第一リング４５ｃと同一形状でよい。第一、第二リング４５ｃ、４５ｆの素材は、染色剤１２に耐性がある、プラスチック樹脂、ゴム、金属などが例示できる。
【００１８】
また、髪１１の根元などピンポイント用の染色用途であれば、第一円盤４５ａ、第二円盤４５ｂ及び第一リング４５ｃの一組の髪染め補助具であってもよい。
【００１９】
図３について詳しく説明する。髪染め補助具４５は、歯２ｃ一列において、歯２ｃ１本置きに装着されている（櫛２の本体２ｂの先端の一部、一列部分を掲載している）。髪染め補助具４５の装着頻度、数は、歯２ｃの間隔、髪染め補助具４５の大さ、染色剤１２を塗布する場所、範囲などにより、適宜選択する。さらに、髪染め補助具４５が歯２ｃに対して、着脱可能式であれば使用の都度、髪染め補助具３の設置位置、数を変更することもできる。
【００２０】
髪染め用櫛１ｄは、図３に示すように使用される。図３（Ａ）に示す髪染め補助具４５を、図３（Ｂ）に示すように、容器１３などに溜めたペースト状の染色剤１２（白髪染め、二液混合するヘアーカラー剤など）と接触させ、髪染め補助具４５の液溜空間４５ｄに染色剤１２を充填する。染色剤１２は、液溜空間４５ｄに、毛細管現象、表面張力、あるいは染色剤１２の粘度により充填保持される。
【００２１】
そして、液溜空間３ｅに染色剤１２が貯留されることで、髪１１に直接染色剤１２を塗布して、櫛などで塗り拡げる必要がなく、一度の染色剤１２の貯留で、髪染め用櫛１ｄを図３（ｃ）に示すように位置させ、左右に小刻みに揺らすことで、髪１１の根元部分の新たに伸びた染色されていない髪１１部分（Ｃ１範囲）が染色剤１２に接触し、広範囲の髪１１の根元部分に短時間で染色剤１２を塗布することができ、染色を必要としない染色済み髪１１部分（Ｃ２）への染色を必要とせず、髪染め作業を容易にすることができる。このようにして、頭皮１０への染色剤１２の塗布量を抑えることができるとともに、髪１１の根元にも十分に染色剤１２が拡散、浸透、行き渡る。
【実施例２】
【００２２】
図４、５に示すように、本発明である髪染め用櫛１ｅは、櫛と、櫛の歯２ｃに備えられた髪染め補助具４６とからなる。図４（Ａ）は髪染め用櫛１ｅの一部分の縦断面図、（Ｂ）は歯２ｃの断面図、（Ｃ）は髪染め補助具４６の縦断面図である。図５は髪染め補助具４６の分解断面図である。
【００２３】
髪染め補助具４６は、櫛の歯２ｃの端部２ｄ側に固定された第一円盤４５ａと、歯２ｃの根元側に固定された第二円盤４５ｂと、第一円盤４５ａ及び第二円盤４５ｂの間に位置する鍔４６ｂを備える第三円盤４６ａと、第一円盤４５ａ及び第三円盤４６ａの間に位置し歯２ｃ（筒部４６ｃ）を中心に回転可能な第一リング４５ｃと、第二円盤４５ｂ及び第三円盤４５ｅの間に位置し歯２ｃ（筒部４６ｃ）を中心に回転可能な第二リング４５ｆとからなる。
【００２４】
第三円盤４６ａは、実施例１と異なり、鍔４６ｂと内部に歯２ｃを通す貫通孔４６ｃｈを穿設した筒部４６ｃとからなる。筒部４６ｃは、第一リング４５ｃ、第二リング４５ｆの貫通孔４５ｃｈ、４５ｆｈに挿通し、第一円盤４５ａ、第二円盤４５ｂの貫通孔４５ａｈ、４５ｂｈと連通して、櫛の歯２ｃを挿通させ、髪染め補助具４６の歯２ｃへの固定、接着などに利用される。筒部４６ｃがより長く、歯２ｃと接触することができるため、摩擦が大きく、接着剤なしでも位置固定可能である。
【００２５】
このようにしてなる髪染め用櫛１ｅは、歯２ｃの端部２ｄの頭皮１０への当接を阻害しない。また、実施例１同様に、染色剤１２を貯留する液溜空間４５ｄ、４５ｄを形成し、第一リング４５ｃ、第二リング４５ｆが回転し適度に染色剤１２を髪１１に送り出す。
【実施例３】
【００２６】
図６、７に示すように、本発明である髪染め用櫛１ｆは、櫛と、櫛の歯２ｅに備えられた髪染め補助具４７とからなる。図６（Ａ）は髪染め用櫛１ｆの一部分の縦断面図、（Ｂ）は歯２ｅの断面図、（Ｃ）は髪染め補助具４７の縦断面図である。図７は髪染め補助具４７の分解断面図である。
【００２７】
髪染め補助具４７は、櫛の歯２ｅの窪み２ｆに固定され筒部４７ｃと鍔４７ｂからなる第三円盤４７ａと、櫛の歯２ｅの端部２ｄ側の第三円盤４７ａの筒部４７ｃに固定された第一円盤４５ａと、歯２ｅの根元側の第三円盤４７ａの筒部４７ｃに固定された第二円盤４５ｂと、第一円盤４５ａ及び第三円盤４６ａの間に位置し歯２ｅ（筒部４７ｃ）を中心に回転可能な第一リング４５ｃと、第二円盤４５ｂ及び第三円盤４５ｅの間に位置し歯２ｅ（筒部４７ｃを中心に回転可能な第二リング４５ｆとからなる。
【００２８】
第三円盤４７ａは、実施例１と異なり、鍔４７ｂと内部に歯２ｅを通す貫通孔４７ｃｈを穿設した筒部４７ｃとからなる。筒部４７ｃは、第一リング４５ｃ、第二リング４５ｆの貫通孔４５ｃｈ、４５ｆｈ、第一円盤４５ａ、第二円盤４５ｂの貫通孔４５ａｈ、４５ｂｈに挿通して、そのうえで櫛の歯２ｅを貫通孔４７ｃｈに挿通させ、髪染め補助具４７の歯２ｅへの固定、接着などに利用される。
【００２９】
このような部材、配置であれば、髪染め補助具４７のユニットが容易で、安定する。そして筒部４７ｃと歯２ｅの摩擦で接着剤なしでも位置固定可能である。また、実施例３では、歯２ｅに窪みがあることで、髪染め補助具４７が掛止され、髪染め補助具４７の歯２ｅの装着が容易で、歯２ｅから髪染め補助具４７の脱落を防止できる。
【００３０】
このようにしてなる髪染め用櫛１ｆは、歯２ｅの端部２ｄの頭皮１０への当接を阻害しない。また、実施例１同様に、染色剤１２を貯留する液溜空間４５ｄ、４５ｄを形成し、第一リング４５ｃ、第二リング４５ｆが回転し適度に染色剤１２を髪１１に送り出す。
【実施例４】
【００３１】
図８、９に示すように、本発明である髪染め用櫛１ｇは、櫛と、櫛の歯２ｅに備えられた髪染め補助具４８とからなる。図８（Ａ）は髪染め用櫛１ｇの一部分の縦断面図、（Ｂ）は歯２ｅの断面図、（Ｃ）は髪染め補助具４８の縦断面図である。図９は髪染め補助具４８の分解断面図である。円盤の位置固定をより安定にする実施形態である。
【００３２】
髪染め補助具４８は、櫛の歯２ｅの窪み２ｆに固定され筒部４８ｄと鍔４８ｃからなる第二円盤４８ｂと、櫛の歯２ｅの端部２ｄ側の第二円盤４８ｂの筒部４８ｄに固定された第一円盤４８ａと、第一円盤４８ａと第二円盤４８ｂの鍔４８ｃとの間の筒部４８ｄに固定された第三円盤４８ｅと、第一円盤４８ａ及び第三円盤４８ｅの間に位置し歯２ｅ（筒部４８ｄ）を中心に回転可能な第一リング４５ｃと、第二円盤４８ｂの鍔４８ｃ及び第三円盤４８ｅの間に位置し歯２ｅ（筒部４８ｄ）を中心に回転可能な第二リング４５ｆとからなる。
【００３３】
第三円盤４８ａは、実施例１と異なり、鍔４８ｃと内部に歯２ｅを通す貫通孔４８ｄｈを穿設した筒部４８ｄとからなる。筒部４８ｄは、第一リング４５ｃ、第二リング４５ｆの貫通孔４５ｃｈ、４５ｆｈ、第一円盤４８ａ、第三円盤４８ｅの貫通孔４８ａｈ、４８ｂｈに挿通して、そのうえで櫛の歯２ｅを貫通孔４８ｄｈに挿通させ、髪染め補助具４８の歯２ｅへの固定、接着などに利用される。筒部４８ｄには第一円盤４８ａ、第三円盤４８ｅをそれぞれ嵌める、溝４８ｆ、溝４８ｇが設けられ、第一、第三円盤４８ａ、４８ｅを嵌め、位置固定する。
【００３４】
その効果は、実施例３と同様にユニット化が容易で、各部品の位置決め制度、安定性も向上する。
【００３５】
このようにしてなる髪染め用櫛１ｇは、歯２ｅの端部２ｄの頭皮１０への当接を阻害しない。また、実施例１同様に、染色剤１２を貯留する液溜空間４５ｄ、４５ｄを形成し、第一リング４５ｃ、第二リング４５ｆが回転し適度に染色剤１２を髪１１に送り出す。
【実施例５】
【００３６】
図１０、１１に示すように、本発明である髪染め用櫛１ｈは、櫛と、櫛の歯２ｅに備えられた髪染め補助具４９とからなる。図１０（Ａ）は髪染め用櫛１ｇの一部分の縦断面図、（Ｂ）は歯２ｅの断面図、（Ｃ）は髪染め補助具４９の縦断面図である。図１１は髪染め補助具４９の分解断面図である。円盤の位置固定をより安定にする実施形態である。
【００３７】
髪染め補助具４９は、櫛の歯２ｃの端部２ｄ側の窪み２ｆに固定された第一円盤４８ａと、歯２ｃの根元側の窪み２ｆに固定された第二円盤４９ｂと、第一円盤４８ａ及び第二円盤４８ｂの間に位置する鍔４９ｄと筒部４９ｅからなり筒部４９ｅで歯２ｅの窪み２ｆに嵌まる第三円盤４９ｃと、第一円盤４８ａ及び第三円盤４９ｃの間に位置し歯２ｅ（筒部４９ｅ）を中心に回転可能な第一リング４５ｃと、第二円盤４８ｂ及び第三円盤４９ｃの間に位置し歯２ｅ（筒部４９ｅ）を中心に回転可能な第二リング４５ｆとからなる。
【００３８】
第三円盤４９ｃは、鍔４９ｄと内部に歯２ｅを通す貫通孔４９ｅｈを穿設した筒部４９ｅとからなる。筒部４９ｅは、第一リング４５ｃ、第二リング４５ｆの貫通孔４５ｃｈ、４５ｆｈに挿通し、貫通孔４８ａｈ、４９ｂｈと連通して、櫛の歯２ｅを挿通させる。髪染め補助具４９は、全体が歯２ｅの窪み２ｆに嵌まる。
【００３９】
このようにしてなる髪染め用櫛１ｈは、歯２ｅの端部２ｄの頭皮１０への当接を阻害しない。また、実施例１同様に、染色剤１２を貯留する液溜空間４５ｄ、４５ｄを形成し、第一リング４５ｃ、第二リング４５ｆが回転し適度に染色剤１２を髪１１に送り出す。
【実施例６】
【００４０】
図１２に示すように、本発明である髪染め用櫛１ｋは、櫛と、櫛の歯２ｇに備えられた髪染め補助具５０とからなる。図１２（Ａ）は髪染め用櫛１ｋの一部分の縦断面図、（Ｂ）は歯２ｇの断面図、（Ｃ）は髪染め補助具５０の縦断面図である。一組の第一円盤４８ａ、第二円盤２ｍと、第一リング４５ｃの例である。
【００４１】
髪染め補助具５０は、歯２ｇの溝２ｋに貫通孔４８ａｈで嵌まる第一円盤４８ａと、歯２ｇに一体的に突設されたフランジである第二円盤２ｍと、第一円盤４８ａと第二円盤２ｍとの間の歯２ｇを貫通孔４５ｃｈに通し、歯２ｇを中心に回転可能な第一リング４５ｃとからなる。
【符号の説明】
【００４２】
１ｄ      髪染め用櫛
１ｅ      髪染め用櫛
１ｆ      髪染め用櫛
１ｇ      髪染め用櫛
１ｈ      髪染め用櫛
１ｋ      髪染め用櫛
２        櫛
２ｂ      本体
２ｃ      歯
２ｄ      端部
２ｅ      歯
２ｆ      窪み
２ｇ      歯
２ｈ      フランジ部
２ｋ      溝
２ｍ      第二円盤
１０      頭皮
１１      髪
１２      染色剤
１３      容器
４５      髪染め補助具
４５ａ    第一円盤
４５ａｈ  貫通孔
４５ｂ    第二円盤
４５ｂｈ  貫通孔
４５ｃ    第一リング
４５ｃｈ  貫通孔
４５ｄ    液溜空間
４５ｅ    第三円盤
４５ｅｈ  貫通孔
４５ｆ    第二リング
４５ｆｈ  貫通孔
４５ｇ    凹
４５ｉ    凸
４６      髪染め補助具
４６ａ    第三円盤
４６ｂ    鍔
４６ｃ    筒部
４６ｃｈ  貫通孔
４７      髪染め補助具
４７ａ    第三円盤
４７ｂ    鍔
４７ｃ    筒部
４７ｃｈ  貫通孔
４８      髪染め補助具
４８ａ    第一円盤
４８ａｈ  貫通孔
４８ｂ    第二円盤
４８ｃ    鍔
４８ｄ    筒部
４８ｄｈ  貫通孔
４８ｅ    第三円盤
４８ｆ    溝
４８ｇ    溝
４９      髪染め補助具
４９ｂ    第二円盤
４９ｂｈ  貫通孔
４９ｃ    第三円盤
４９ｄ    鍔
４９ｅ    筒部
４９ｅｈ  貫通孔
５０      髪染め補助具
【図１】
0006978110.tif 000002
【図２】
0006978110.tif 000003
【図３】
0006978110.tif 000004
【図４】
0006978110.tif 000005
【図５】
0006978110.tif 000006
【図６】
0006978110.tif 000007
【図７】
0006978110.tif 000008
【図８】
0006978110.tif 000009
【図９】
0006978110.tif 000010
【図１０】
0006978110.tif 000011
【図１１】
0006978110.tif 000012
【図１２】
0006978110.tif 000013